(57)【要約】【課題】本発明は、携帯情報端末が近距離無線通信を利用して、原稿をスキャンして得られた画像データを画像形成装置から容易に取得することができる情報処理システムを提供する。【解決手段】近距離無線通信機能を備えた携帯情報端末を画像形成装置に接近させて無線通信が確立すると、画像形成装置で原稿をスキャンして得られた画像データを保存すると共に、当該スキャン処理と関連付けたトークンを携帯情報端末に書き込む。一方、携帯情報端末では、書き込まれたトークンを用いて、トークンに関連付けられたスキャン処理の状態及びスキャン画像データを画像形成装置から取得し、スキャン処理の状態を携帯情報端末の画面に表示する。そして、携帯情報端末の画面に表示されたスキャンの完了通知を選択することによりスキャンアプリが起動して、当該スキャン処理に関連付けられた画像を表示する。【選択図】図７
2015133572.tif 000002
【特許請求の範囲】
【請求項１】
近距離無線通信を行う第１通信方法および前記第１通信方法とは異なる方法で無線通信を行う第２の通信方法により無線通信を行うことが可能な画像形成装置と、前記画像形成装置との間で前記第１通信方法および前記第２通信方法により無線通信を行うことが可能な携帯情報端末とで構成される情報処理システムにおいて、
前記画像形成装置は、
前記携帯情報端末の近接に応じて前記第１通信方法により無線通信が確立したときに、当該画像形成装置で実行される所定の処理を一意に識別するための識別情報を生成する生成手段と、
前記生成手段により生成された識別情報を前記第１通信方法により前記携帯情報端末に送信する送信手段と、
前記識別情報に関連付けて前記所定の処理の結果を記憶する記憶手段とを備え、
前記携帯情報端末は、
前記画像形成装置から受信した識別情報を用いて、前記第２通信方法により前記画像形成装置に接続し、前記記憶手段に記憶された前記所定の処理の結果を取得する第１取得手段と、
前記第１取得手段により取得した前記所定の処理の結果が正常終了であった場合には、前記第２通信方法により、前記所定の処理で得られたデータを取得する第２取得手段と、
前記第２取得手段により取得されたデータを利用することが可能なプログラムが起動中か否かを判定する判定手段と、
前記判定手段により前記プログラムが起動していないと判定された場合には、ユーザの操作に応じて当該プログラムを起動する制御手段と
を備えることを特徴とする情報処理システム。
【請求項２】
近距離無線通信を行う第１通信方法および前記第１通信方法とは異なる方法で無線通信を行う第２の通信方法により無線通信を行うことが可能な画像形成装置と、前記画像形成装置との間で前記第１通信方法および前記第２通信方法により無線通信を行うことが可能な携帯情報端末とで構成される情報処理システムにおいて、
前記画像形成装置は、
前記携帯情報端末の近接に応じて前記第１通信方法により無線通信が確立したときに、当該画像形成装置で実行される所定の処理を一意に識別するための識別情報を生成する生成手段と、
前記生成手段により生成された識別情報を前記第１通信方法により前記携帯情報端末に送信する識別情報送信手段と、
前記識別情報に関連付けて前記所定の処理の結果を記憶する記憶手段とを備え、
前記携帯情報端末は、
前記画像形成装置から受信した識別情報を用いて、前記第２通信方法により前記画像形成装置に接続し、前記記憶手段に記憶された前記所定の処理の結果を取得する第１取得手段と、
前記第１取得手段により取得した前記所定の処理の結果が正常終了であった場合には、前記第２通信方法により、前記所定の処理で得られたデータの送信先を前記画像形成装置に送信する送信先送信手段と、
前記画像形成装置から前記送信先に送信されたデータを取得する第２取得手段と、
前記第２取得手段により取得されたデータを利用することが可能なプログラムが起動中か否かを判定する判定手段と、
前記判定手段により前記プログラムが起動していないと判定された場合には、ユーザの操作に応じて当該プログラムを起動する制御手段と
を備えることを特徴とする情報処理システム。
【請求項３】
前記第１通信方法には、ＮＦＣ、ＦｅｌｉＣａ（商標）、ＭＩＦＡＲＥ（商標）が含まれることを特徴とする請求項１または２に記載の情報処理システム。
【請求項４】
前記第２通信方法には、無線ＬＡＮ、Ｂｌｕｅｔｏｏｔｈ(登録商標)を含む近距離無線通信、あるいはＬＴＥを含む携帯電話網通信が含まれることを特徴とする請求項１乃至３のいずれか１項に記載の情報処理システム。
【請求項５】
前記所定の処理には、原稿の画像を読み取って画像データを生成するスキャン処理が含まれることを特徴とする請求項１乃至４のいずれか１項に記載の情報処理システム。
【請求項６】
前記第１取得手段は、前記画像形成装置から受信した識別情報を用いて、前記第２通信方法により前記画像形成装置に接続し、前記画像形成装置の接続情報および機器情報の少なくとも１つを取得することを特徴とする請求項１乃至５のいずれか１項に記載の情報処理システム。
【請求項７】
前記記憶手段は、前記識別情報に関連付けて前記所定の処理の結果と前記所定の処理で得られたデータを記憶するものであって、前記画像形成装置または他の装置に配置され、
前記第２取得手段は、前記所定の処理で得られたデータを、前記第２通信方法により前記画像形成装置または他の装置の記憶手段から取得することを特徴とする請求項１乃至６のいずれか１項に記載の情報処理システム。
【請求項８】
近距離無線通信を行う第１通信方法および前記第１通信方法とは異なる方法で無線通信を行う第２の通信方法により他の装置との間で無線通信を行うことが可能な携帯情報端末において、
前記他の装置への近接に応じて前記第１通信方法により無線通信が確立したときに、前記他の装置で実行される所定の処理を一意に識別するための識別情報を受信する受信手段と、
前記受信した識別情報を用いて、前記第２通信方法により前記他の装置に接続し、前記他の装置で実行される所定の処理の結果を取得する第１取得手段と、
前記第１取得手段により取得した前記所定の処理の結果が正常終了であった場合には、前記第２通信方法により、前記所定の処理で得られたデータを取得する第２取得手段と、
前記第２取得手段により取得されたデータを利用することが可能なプログラムが起動中か否かを判定する判定手段と、
前記判定手段により前記プログラムが起動していないと判定された場合には、ユーザの操作に応じて当該プログラムを起動する制御手段とを備えることを特徴とする携帯情報端末。
【請求項９】
近距離無線通信を行う第１通信方法および前記第１通信方法とは異なる方法で無線通信を行う第２の通信方法により無線通信を行うことが可能な画像形成装置と、前記画像形成装置との間で前記第１通信方法および前記第２通信方法により無線通信を行うことが可能な携帯情報端末とで構成される情報処理システムの制御方法において、
前記画像形成装置の生成手段が、前記携帯情報端末の近接に応じて前記第１通信方法により無線通信が確立したときに、当該画像形成装置で実行される所定の処理を一意に識別するための識別情報を生成する生成工程と、
前記画像形成装置の送信手段が、前記生成工程にて生成された識別情報を前記第１通信方法により前記携帯情報端末に送信する送信工程と、
前記画像形成装置の記憶手段が、前記識別情報に関連付けて前記所定の処理の結果を記憶する記憶工程と、
前記携帯情報端末の第１取得手段が、前記画像形成装置から受信した識別情報を用いて、前記第２通信方法により前記画像形成装置に接続し、前記記憶手段に記憶された前記所定の処理の結果を取得する第１取得工程と、
前記携帯情報端末の第２取得手段が、前記第１取得工程にて取得した前記所定の処理の結果が正常終了であった場合には、前記第２通信方法により、前記所定の処理で得られたデータを取得する第２取得工程と、
前記携帯情報端末の判定手段が、前記第２取得工程にて取得されたデータを利用することが可能なプログラムが起動中か否かを判定する判定工程と、
前記携帯情報端末の制御手段が、前記判定工程にて前記プログラムが起動していないと判定された場合には、ユーザの操作に応じて当該プログラムを起動する制御工程と
を備えることを特徴とする制御方法。
【請求項１０】
近距離無線通信を行う第１通信方法および前記第１通信方法とは異なる方法で無線通信を行う第２の通信方法により無線通信を行うことが可能な画像形成装置と、前記画像形成装置との間で前記第１通信方法および前記第２通信方法により無線通信を行うことが可能な携帯情報端末とで構成される情報処理システムの制御方法において、
前記画像形成装置の生成手段が、前記携帯情報端末の近接に応じて前記第１通信方法により無線通信が確立したときに、当該画像形成装置で実行される所定の処理を一意に識別するための識別情報を生成する生成工程と、
前記画像形成装置の識別情報送信手段が、前記生成工程にて生成された識別情報を前記第１通信方法により前記携帯情報端末に送信する識別情報送信工程と、
前記画像形成装置の記憶手段が、前記識別情報に関連付けて前記所定の処理の結果を記憶する記憶工程と、
前記携帯情報端末の第１取得手段が、前記画像形成装置から受信した識別情報を用いて、前記第２通信方法により前記画像形成装置に接続し、前記記憶手段に記憶された前記所定の処理の結果を取得する第１取得工程と、
前記携帯情報端末の送信先送信手段が、前記第１取得工程にて取得した前記所定の処理の結果が正常終了であった場合には、前記第２通信方法により、前記所定の処理で得られたデータの送信先を前記画像形成装置に送信する送信先送信工程と、
前記携帯情報端末の第２取得手段が、前記画像形成装置から前記送信先に送信されたデータを取得する第２取得工程と、
前記携帯情報端末の判定手段が、前記第２取得工程にて取得されたデータを利用することが可能なプログラムが起動中か否かを判定する判定工程と、
前記携帯情報端末の制御手段が、前記判定工程にて前記プログラムが起動していないと判定された場合には、ユーザの操作に応じて当該プログラムを起動する制御工程と
を備えることを特徴とする制御方法。
【請求項１１】
請求項９または１０に記載の制御方法を実行させるためのコンピュータに読み取り可能なプログラム。
【発明の詳細な説明】
【技術分野】
【０００１】
本発明は、情報処理システム及びその制御方法、並びにプログラムに関し、特に、画像形成装置で読み取った画像データを近距離無線通信により携帯情報端末に容易に取り込む制御技術に関する。
【背景技術】
【０００２】
近年、ＮＦＣ、ＦｅｌｉＣａ（商標）、ＭＩＦＡＲＥ（商標）、Ｂｌｕｅｔｏｏｔｈ(登録商標)等の近距離無線通信技術を搭載したスマートフォンやタブレット型端末などの携帯情報端末が増加している。これに伴い、複合機をはじめとする画像形成装置も近距離無線通信技術を搭載することにより、携帯情報端末と画像形成装置との間で様々な連携動作が行われている。例えば、スキャン指示とファイル名を近距離無線通信を用いて携帯情報端末から画像形成装置に送信し、画像形成装置にて原稿をスキャンして得られたデータを、指定されたファイル名で保存する技術が開示されている（特許文献１参照）。
【０００３】
画像形成装置で原稿をスキャンして得られた画像データを携帯情報端末が取得する場合、携帯情報端末でスキャンアプリを起動し、当該スキャンアプリ上の操作によりリモートスキャンと実行して、画像データを取得する方法がある。
【０００４】
また、スキャンして得られた画像データをＥメールに添付して画像形成装置から携帯情報端末に送信し、メールアプリを起動してＥメールに添付された画像データを保存することで画像データを得る方法もある。
【先行技術文献】
【特許文献】
【０００５】
【特許文献１】特開２０１０−１３０６５６号公報
【発明の概要】
【発明が解決しようとする課題】
【０００６】
しかしながら、携帯情報端末でスキャンアプリを起動して画像データを得る方法では、画像形成装置の特定やスキャンに関する様々な設定を行う必要があり、容易ではない。
【０００７】
また、Ｅメールに画像データを添付して送信する方法では、Ｅメールに添付された画像データとスキャンアプリケーションとの関連付けができず、画像データの利用が容易ではない。
【０００８】
本発明は、携帯情報端末が近距離無線通信を利用して、原稿をスキャンして得られた画像データを画像形成装置から容易に取得することができる制御技術を提供する。
【課題を解決するための手段】
【０００９】
上記目的を達成するために、本発明は、近距離無線通信を行う第１通信方法および前記第１通信方法とは異なる方法で無線通信を行う第２の通信方法により無線通信を行うことが可能な画像形成装置と、前記画像形成装置との間で前記第１通信方法および前記第２通信方法により無線通信を行うことが可能な携帯情報端末とで構成される情報処理システムにおいて、前記画像形成装置は、前記携帯情報端末の近接に応じて前記第１通信方法により無線通信が確立したときに、当該画像形成装置で実行される所定の処理を一意に識別するための識別情報を生成する生成手段と、前記生成手段により生成された識別情報を前記第１通信方法により前記携帯情報端末に送信する送信手段と、前記識別情報に関連付けて前記所定の処理の結果を記憶する記憶手段とを備え、前記携帯情報端末は、前記画像形成装置から受信した識別情報を用いて、前記第２通信方法により前記画像形成装置に接続し、前記記憶手段に記憶された前記所定の処理の結果を取得する第１取得手段と、前記第１取得手段により取得した前記所定の処理の結果が正常終了であった場合には、前記第２通信方法により、前記所定の処理で得られたデータを取得する第２取得手段と、前記第２取得手段により取得されたデータを利用することが可能なプログラムが起動中か否かを判定する判定手段と、前記判定手段により前記プログラムが起動していないと判定された場合には、ユーザの操作に応じて当該プログラムを起動する制御手段とを備えることを特徴とする。
【発明の効果】
【００１０】
本発明によれば、近距離無線技術を搭載した携帯情報端末を画像形成装置に接近させることで、画像形成装置において原稿をスキャンして電子データを生成し、それを携帯情報端末に取り込み、スキャンアプリ等と連携させて処理することを可能にする。
【図面の簡単な説明】
【００１１】
【図１】本発明の第１の実施形態における携帯情報端末の内部構成の一例を示すブロック図である。
【図２】近距離無線通信機能を備えた画像形成装置の内部構成の一例を示すブロック図である。
【図３】図１の携帯情報端末を図２の画像形成装置に接近させたときに画像形成装置にて実行されるスキャン処理の流れを示すフローチャートである。
【図４】画像形成装置にて実行されるトークン処理の一例を示す図である。
【図５】図１の携帯情報端末で管理されるトークン、通知ＩＤ及びスキャンデータの関連表の一例を表す図である。
【図６】携帯情報端末にて実行されるスキャン監視処理の一例を示すフローチャートである。
【図７】図６のステップＳ６１２におけるスキャン画像取得処理の詳細を示すフローチャートである。
【図８】図６のステップＳ６１５における通知処理の詳細を示すフローチャートである。
【図９】画像形成装置と携帯情報端末との間で授受され、スキャン処理を一意に識別するためのトークンの一例を示す図である。
【図１０】画像形成装置においてトークンとスキャンの処理状態とスキャン画像データを管理するためのスキャン画像データテーブルの一例を示す図である。
【図１１】第３の実施形態における携帯情報端末において実行されるスキャン画像取得処理の詳細を示すフローチャートである。
【図１２】（ａ）携帯情報端末に表示される初期画面の一例を示す図、（ｂ）スキャン処理完了の通知が表示された初期画面の一例を示す図である。
【図１３】（ａ）スキャン処理完了の通知が複数表示された携帯情報端末の初期画面の一例を示す図、（ｂ）携帯情報端末上のスキャンに表示されるスキャン設定画面の一例を示す図である。
【図１４】（ａ）携帯情報端末に表示されるスキャン設定時の解像度設定画面の一例を示す図、（ｂ）携帯情報端末に表示されるスキャン画像の一例を示す図、（ｃ）携帯情報端末に表示されるスキャン実行中画面の一例を示す図である。
【発明を実施するための形態】
【００１２】
以下、本発明の実施の形態を図面を参照して詳細に説明する。
【００１３】
［第１の実施形態］
図１は、本発明の第１の実施形態における携帯情報端末の内部構成の一例を示すブロック図である。
【００１４】
図１において、携帯情報端末１０１は、近距離無線通信機能を備えるスマートフォンやタブレット型端末などから成り、メイン基盤１０２、フロントパネル１１３、およびアンテナＡ１１７，Ｂ１１８，Ｃ１１９が筺体内に実装されている。
【００１５】
メイン基盤１０２には、システム起動プログラムやオペレーティングシステム（ＯＳ）を格納する不揮発性メモリのＲＯＭ１０３、プログラムやデータを一時格納する揮発性メモリのＲＡＭ１０５が実装される。さらに、メイン基盤１０２には、アプリケーションプログラム（以下、単に「アプリ」と称する）やそれに付随するデータを格納する不揮発性メモリのＮＶＲＡＭ１０６が実装される。ＲＯＭ１０３、ＲＡＭ１０５、ＮＶＲＡＭ１０６に格納されたプログラムは、ＣＰＵ１０４により逐次実行される。
【００１６】
また、メイン基盤１０２には、スピーカー（不図示）やマイク（不図示）に接続され、音声の入出力を行うサウンドコントローラ１０７も実装されている。
【００１７】
近接無線コントローラ１０８は、アンテナＡ１１７を介して他装置との間で、ＮＦＣ（Ｎｅａｒ  Ｆｉｅｌｄ  Ｃｏｍｍｕｎｉｃａｔｉｏｎ）、ＦｅｌｉＣａ（商標）、ＭＩＦＡＲＥ（商標）等の近距離無線通信の制御をおこなう。なお、近接無線コントローラ１０８は第１通信手段の一例である。
【００１８】
無線ＬＡＮコントローラ１０９は、アンテナＢ１１８を介して他装置との間で、ＩＥＥＥ８０２．１１ｎ等の無線ＬＡＮ、Ｂｌｕｅｔｏｏｔｈ(登録商標)を含む近距離無線通信、あるいはＬＴＥを含む携帯電話網通信の制御を行う。無線ＬＡＮコントローラ１０９は第２通信手段の一例である。
【００１９】
無線ＷＡＮコントローラ１１０は、アンテナＣ１１９を介して他装置との間で、ＬＴＥ（Ｌｏｎｇ  Ｔｅｒｍ  Ｅｖｏｌｕｔｉｏｎ）等の無線ＷＡＮの制御をおこなう。無線ＷＡＮコントローラ１１０は第２通信手段の一例である。
【００２０】
さらに、メイン基盤１０２には、ディスプレイ装置（表示装置）に表示を行うグラフィックコントローラ１１１、外部の装置との間でデータの入出力を行うＩ／Ｏコントローラ１１２が実装されている。
【００２１】
フロントパネル１１３には、グラフィックコントローラ１１１と接続され、画像や情報を表示するＬＣＤパネル１１４、指やタッチペンで触れた位置を検出するタッチセンサー１１５、確認ボタン等の物理キー１１６が実装されている。ＬＣＤパネル１１４に表示される画面の一例を図１２（ａ）に示す。
【００２２】
図１２（ａ）において、携帯情報端末１０１の表示画面には、デスクトップエリア１２０１、ステータスライン１２０２が配置されている。
【００２３】
ステータスライン１２０２には、現在時刻やネットワーク接続情報等が表示される。
【００２４】
デスクトップエリア１２０１には、複数のアイコン１２０３が配置されている。任意のアイコンが押下されると、押下されたアイコンに関連付けられたアプリが起動し、アプリ用の操作・設定画面に表示が切り替わる。例えば、スキャンアプリと関連付けられたＳＣＡＮアイコンが押下されると、スキャンアプリが起動し、例えば図１３（ｂ）に示すスキャン設定画面に表示が切り替わる。
【００２５】
図１３（ｂ）に示すスキャン設定画面では、例えば解像度領域１２０６をタッチすると、図１４（ａ）に示す選択項目１２０８が表示される。図１４（ａ）に示す選択項目１２０８では、３００ｄｐｉと６００ｄｐｉの何れかをタッチすることで、解像度を設定することができる。
【００２６】
図２は、近距離無線通信機能を備えた画像形成装置の内部構成の一例を示すブロック図である。
【００２７】
図２において、画像形成装置２０１は、メイン基盤２０２、サブ基盤２２０、スキャンエンジン２２４、プリントエンジン２２５、アンテナＡ２１７、アンテナＢ２１８、ＬＡＮコネクタ２１９、および操作部２１３が筺体内に実装されている。
【００２８】
メイン基盤２０２には、システム起動プログラムやオペレーティングシステムを格納する不揮発性メモリのＲＯＭ２０３、アプリやデータを一時格納する揮発性メモリのＲＡＭ２０５が実装される。さらに、メイン基盤２０２には、アプリやそれに付随するデータを格納する不揮発性メモリのハードディスク装置（ＨＤＤ）２０６が実装されている。ＲＯＭ２０３、ＲＡＭ２０５あるいはＨＤＤ２０６に格納されたプログラムは、ＣＰＵ２０４により逐次実行される。
【００２９】
近接無線コントローラ２０８は、アンテナＡ２１７を介して他装置との間で、ＮＦＣ（Ｎｅａｒ  Ｆｉｅｌｄ  Ｃｏｎｎｅｃｔｉｏｎ）等の近距離無線通信の制御をおこなう。
【００３０】
無線ＬＡＮコントローラ１０９は、アンテナＢ２１８を介して他装置との間で、ＩＥＥＥ８０２．１１ｎやＢｌｕｅｔｏｏｔｈ(登録商標)等の近距離無線通信の制御をおこなう。ＬＡＮコネクタ２１９を介してＬＡＮに接続された他装置との間でデータの授受をおこなう有線ＬＡＮコントローラ２１０も実装されている。さらに、ディスプレイ装置に表示を行うグラフィックコントローラ２１１、他装置との間でデータの入出力を行うＩ／Ｏコントローラ２１２が実装されている。
【００３１】
操作部２１３には、グラフィックコントローラ２１１に接続され、画像情報を表示するＬＣＤパネル２１４、指やタッチペンで触れた位置を検出するタッチセンサー２１５、実行ボタンやテンキー等の物理キー２１６が実装されている。
【００３２】
メイン基盤２０２には、サブ基盤２２０のバスとの間でデータのやりとりを行うバスブリッジ２０７が実装されている。
【００３３】
サブ基盤２２０には、スキャンエンジン２２４を制御するスキャンコントローラ２２１、プリントエンジン２２５を制御するプリントコントローラ２２２が実装されている。さらに、サブ基盤２２０には、スキャンエンジン２２４により得られたスキャン画像データやプリントエンジン２２５で出力する画像データを処理するための画像処理プロセッサ２２３が実装されている。
【００３４】
次に、図１の携帯情報端末１０１と図２の画像形成装置２０１とで構成された情報処理システムにおいて、携帯情報端末１０１を画像形成装置２０１に接近させた場合に、画像形成装置２０１で実行される処理を図３及び図４を用いて説明する。
【００３５】
図３は、携帯情報端末１０１を画像形成装置２０１に接近させたときに画像形成装置２０１にて実行されるスキャン処理の流れを示すフローチャートである。本処理は、ＣＰＵ２０４がＨＤＤ２０６に保存された機器制御プログラムを実行することにより実現される。
【００３６】
図３において、画像形成装置２０１では、近接無線コントローラ２０８が、携帯情報端末１０１の近接無線コントローラ１０８との近距離無線通信により接近を検知するとＣＰＵ２０４に通知を行う。そして、ＣＰＵ２０４は、携帯情報端末１０１の近接無線コントローラ１０８から近距離無線通信により、装置を一意に識別するための固有のＩＤを取得する（ステップＳ３０１）。
【００３７】
次に、ステップＳ３０２では、ＣＰＵ２０４は、近距離無線通信の開始に伴って実行されるスキャン処理を一意に識別するためのトークン（識別情報）と呼ばれるデータを生成する。トークンは、図９に示すように、無線ＬＡＮ等を介してアクセス可能な、画像形成装置２０１のネットワークアドレスや接続ポート番号を含むＵＲＬ（Ｕｎｉｆｉｅｄ  Ｒｅｓｏｕｒｃｅ  Ｌｏｃａｔｏｒ）である。トークンには、図９の９０１に示すように、逐次生成される英数字からなる文字列を含ませることにより、近距離無線通信の開始毎に異なるトークンが生成される。
【００３８】
ステップＳ３０３では、ＣＰＵ２０４は、ステップＳ３０２で生成したトークンを近接無線コントローラ２０８により携帯情報端末１０１に送信する（識別情報送信）。携帯情報端末１０１の近接無線コントローラ１０８は、画像形成装置２０１からトークンを受信すると不揮発性メモリ（不図示）に書き込む。
【００３９】
ステップＳ３０４では、ＣＰＵ２０４は、ＨＤＤ２０６に格納されている画像形成装置２０１の機器設定情報（不図示）を参照し、当該装置を利用するために認証が必要か否かを判定する。参照した機器設定情報に認証が必要な設定がなされていなかった場合には、ステップＳ３０７へ進む一方、設定がなされていた場合にはステップＳ３０５へ進む。
【００４０】
ステップＳ３０５では、ＣＰＵ２０４は、ステップＳ３０１で取得した携帯情報端末１０１のＩＤが、ＨＤＤ２０６に格納されている登録装置一覧に登録されているか否かを判定する。登録装置一覧には、装置を一意に識別するためのＩＤが登録されている。登録装置一覧に登録されていると判定した場合はステップＳ３０７へ進む。一方、登録装置一覧に登録されていないと判定した場合は、ＣＰＵ２０４は、図１０に示すスキャン画像データテーブルに対して処理状態が未登録エラーであることを登録し（ステップＳ３０６）、本処理を終了する。
【００４１】
図１０において、スキャン画像データテーブルは、ステップＳ３０２で生成されたトークン１００１と、当該トークンに関連付けられた処理状態１００２と、後述するスキャン処理により得られるスキャン画像データの格納先１００３とで構成される。このスキャン画像データテーブルはＨＤＤ２０６に格納されている。
【００４２】
図３のステップＳ３０７では、ＣＰＵ２０４は、ＨＤＤ２０６に格納されている、上述した機器設定情報を参照し、近距離無線通信の接続に伴うタッチスキャン処理の実行が許可されているか否かを判定する（ステップＳ３０７）。許可されていないと判定した場合はステップＳ３０８に進む。一方、タッチスキャン処理が許可されていると判定した場合はステップＳ３０９へ進む。
【００４３】
ステップＳ３０８では、ＣＰＵ２０４は、図１０に示すスキャン画像データテーブルの処理状態１００２にスキャン不可エラーを登録して本処理を終了する。
【００４４】
ステップＳ３０９では、ＣＰＵ２０４は、スキャンコントローラ２２１の制御により、スキャンエンジン２２４の原稿台（不図示）に原稿がセットされているか否かを判定する。原稿がセットされていないと判定した場合、ＣＰＵ２０４は、図１０に示すスキャン画像データテーブルの処理状態１００２に原稿なしエラーを登録して（ステップＳ３１０）、本処理を終了する。
【００４５】
一方、ステップＳ３０９で原稿がセットされていると判定した場合、ＣＰＵ２０４は、図１０に示すスキャン画像データテーブルの処理状態１００２にスキャン処理中を登録し（ステップＳ３１１）、スキャン処理を実行する（ステップＳ３１２）。このスキャン処理は、画像形成装置２０１の既定のスキャン設定を用いて実行される。原稿をスキャンして得られた画像データはスキャン画像データテーブルの格納先１００３が示すＨＤＤ２０６の所定の領域に格納される。スキャン画像データテーブルの格納先１００３は、スキャン処理毎に異なるスキャン画像データの格納先を一意に示すように構成される。
【００４６】
ステップＳ３１２のスキャン処理が完了すると、ＣＰＵ２０４は、スキャン処理が正常終了したかどうかを判定し（ステップＳ３１３）、正常終了しなかった場合はステップＳ３１５へ進む。一方、正常終了した場合はステップＳ３１４へ進む。
【００４７】
ステップＳ３１５では、ＣＰＵ２０４は、図１０に示すスキャン画像データテーブルの処理状態１００２にスキャンエラーを登録して、本処理を終了する。
【００４８】
ステップＳ３１４では、ＣＰＵ２０４は、図１０に示すスキャン画像データテーブルの処理状態１００２に正常終了を登録して、本処理を終了する。
【００４９】
次に、図３のステップ３０３で生成されたトークンを用いて携帯情報端末１０１が画像形成装置２０１に接続したときの画像形成装置２０１における処理について図４を用いて説明する。
【００５０】
図４は、画像形成装置２０１にて実行されるトークン処理の一例を示す図である。
【００５１】
前述の通り、トークンは、画像形成装置２０１のネットワークアドレス及び接続ポートの番号を含むＵＲＬからなる。そのため、これを用いて携帯情報端末１０１から接続があった場合、画像形成装置２０１のＣＰＵ２０４は、トークンが有効か否かを判定する（ステップＳ４０１）。トークンには、近距離無線通信の開始時に生成された、スキャン処理を一意に示す文字列（図９の９０１に相当）が含まれている。これと関連付けられた情報が、図１０に示すスキャン画像データテーブルに存在しない場合は、当該トークンは無効であると判定され、当該接続要求に対する応答として無効トークンエラーを送信して（ステップＳ４０２）、本処理を終了する。
【００５２】
一方、ステップＳ４０１でトークンが有効であると判定すると、ステップＳ４０３に進み、ＣＰＵ２０４は、携帯情報端末１０１から状態取得要求を受信したか否かを判定する。受信したと判定した場合は、ＣＰＵ２０４は、図１０に示すスキャン画像データテーブルを参照し、当該トークンに関連付けられた処理状態１００２の情報を携帯情報端末１０１に送信して（ステップＳ４０４）、ステップＳ４０５に進む。なお、送信される処理状態１００２の情報は、図３におけるステップＳ３０６、Ｓ３０８、Ｓ３１０、Ｓ３１１、Ｓ３１４及びＳ３１５において、トークンと関連付けてＨＤＤ２０６に格納されるスキャン画像データテーブルに登録されたものである。
【００５３】
一方、ステップＳ４０３で状態取得要求を受信していないと判定した場合、ＣＰＵ２０４は、携帯情報端末１０１からスキャン画像取得要求を受信したか否かを判定し（ステップＳ４０５）、受信していないと判定した場合にはステップＳ４０９に進む。
【００５４】
一方、ステップＳ４０５でスキャン画像取得要求を受信したと判定した場合、ＣＰＵ２０４は、図１０に示すスキャン画像データテーブルを参照し、当該トークンに関連付けられた処理状態１００２の情報が正常終了かどうかを判定する（ステップＳ４０６）。正常終了以外であれば、正常な画像データが生成されていないので、ＣＰＵ２０４は、画像無しエラーを送信して（ステップＳ４０７）、ステップＳ４０９に進む。
【００５５】
一方、ステップＳ４０６でスキャン画像データテーブルの処理状態１００２の情報が正常終了であると判断した場合、ステップＳ４０８に進む。
【００５６】
ステップＳ４０８では、ＣＰＵ２０４は、当該トークンに関連付けられたスキャン画像データをスキャン画像データテーブルにおけるスキャン画像データの格納先１００３から取得して送信する。なお、スキャンデータは、一定時間経過したとき、ＨＤＤ２０６の特定領域の空き容量が規定値を下回ったとき、あるいは携帯情報端末１０１によるスキャン画像データの取得により明示的に削除指示があったときなどに削除されるものとする。
【００５７】
ステップＳ４０９では、ＣＰＵ２０４は、携帯情報端末１０１との接続が切断されたか否かを判定し、接続が切断された場合には、本処理を終了する一方、接続中であれば、ステップＳ４０３に戻る。
【００５８】
次に、携帯情報端末１０１を画像形成装置２０１に接近させた際に、携帯情報端末１０１で実行されるスキャン監視処理の一例を図５、図６、図７、及び図８を用いて説明する。
【００５９】
図６は、携帯情報端末１０１にて実行されるスキャン監視処理の一例を示すフローチャートである。このスキャン監視処理は、携帯情報端末１０１において、近接無線コントローラ１０８が他装置との接近を検知した際に起動し、バックグラウンドで動作する状態監視プログラムをＣＰＵ１０４が実行することにより実現される。
【００６０】
図６において、まず、ＣＰＵ１０４は、スキャンアプリが起動中か否かを判定し（ステップＳ６０１）、起動していないと判定した場合はステップＳ６０５に進む。一方、スキャンアプリが起動中であると判定した場合はステップＳ６０２に進む。
【００６１】
ステップＳ６０２では、ＣＰＵ１０４は、動作中のスキャンアプリが指定している画像形成装置と、接近した画像形成装置とが同一か否かを判定する。スキャンアプリでは、図１３（ｂ）に示すスキャン設定画面において、識別可能な複数の画像形成装置（デバイス）のうち一つを選択可能である。ステップＳ６０２では、ＣＰＵ１０４は、スキャン設定画面上で選択された画像形成装置に予め関連付けられたＩＤと、接近検知時に取得したＩＤが一致するか否かで同一性を判定する。
【００６２】
ステップＳ６０２で同一の画像形成装置と判定した場合（ステップＳ６０２でＹＥＳ）、ＣＰＵ１０４は、起動中のスキャンアプリに対して、識別デバイスタッチ通知を送信して（ステップＳ６０４）、本処理を終了する。この識別デバイスタッチ通知を受信したスキャンアプリを実行中のＣＰＵ１０４は、現在選択中の画像形成装置に接近したと判断し、図１４（ａ）に示すスキャン実行ボタン１２０７が押下されたとみなし、従来の制御に基づくスキャン処理を実行する。
【００６３】
一方、ステップＳ６０２で、スキャンアプリで選択中のものとは異なる画像形成装置に接近したと判定した場合は、ＣＰＵ１０４は、スキャンアプリに対して、非識別デバイスタッチ通知を送信して（ステップＳ６０３）、ステップＳ６０５に進む。非識別デバイスタッチ通知を受信したスキャンアプリを実行中のＣＰＵ１０４は、現在選択中の画像形成装置とは異なる装置に接近したと判断する。さらに、現在の設定で処理を続けることはできないと判断して、図１４（ｃ）に示すスキャン実行中画面をＬＣＤパネル１１４に表示する。
【００６４】
ステップＳ６０５では、ＣＰＵ１０４は、近接無線コントローラ１０８内の不揮発性メモリの特定領域（トークンが書き込まれた領域）からデータを読み込む。
【００６５】
次に、ステップＳ６０６では、ＣＰＵ１０４は、ステップＳ６０５で読み込んだデータがトークンであるかどうかを判定し、トークンであると判定した場合にはステップＳ６０７に進む一方、トークンでないと判定した場合には本処理を終了する。ここで、スキャン画像データの取得後に特定領域にブランク情報が書き込まれ、ステップＳ６０５で特定領域からブランク情報が読み込まれた場合にはトークンでないと判定される。
【００６６】
ステップＳ６０７では、ＣＰＵ１０４は、無線ＬＡＮコントローラ１０９または無線ＷＡＮコントローラ１１０を利用して、取得したトークンが示すネットワークアドレスに無線接続する。図９に示すように、トークンには、当該トークンを生成した画像形成装置２０１と接続するためのネットワークアドレスと接続ポートの番号が含まれている。そのため、携帯情報端末１０１の無線ＬＡＮコントローラ１０９は、アンテナＢ１１８を介して、画像形成装置２０１と直接無線接続することができる。なお、携帯情報端末１０１が近隣にあるアクセスポイント（不図示）に接続することにより、当該アクセスポイントを介して間接的に画像形成装置２０１と無線接続することも可能である。何れの方法を取るかは、携帯情報端末１０１及び画像形成装置２０１の無線ＬＡＮ設定に依存する。さらに、携帯情報端末１０１の無線ＷＡＮコントローラ１１０は、アンテナＣ１１９を介して携帯電話会社（通信キャリア）の基地局と接続し、通信キャリアの内部ネットワーク及びインターネット等を介して、画像形成装置２０１と無線接続することも可能である。
【００６７】
ステップＳ６０８では、ＣＰＵ１０４は、トークンが示すネットワークアドレスに上記方法により接続した際に、エラー応答があったか否かを判定する。エラー応答があった場合にはステップＳ６１３に進む。一方、エラー応答がなければ、携帯情報端末１０１と画像形成装置２０１との間の無線通信が開始されてステップＳ６０９に進む。
【００６８】
ステップＳ６０９では、ＣＰＵ１０４は、無線接続した画像形成装置２０１に対して状態取得要求を送信し、エラー応答がなされたか否かを判定する（ステップＳ６１０）。エラー応答がなされた場合にはステップＳ６１３に進む一方、エラー応答がなされなければステップＳ６１１へ進む。
【００６９】
ステップＳ６１１では、ＣＰＵ１０４は、無線接続した画像形成装置２０１から受信した状態取得要求に対する応答が、スキャン処理の正常終了であったか否かを判定する。スキャン処理の正常終了でなかった場合にはステップＳ６０９に戻る。一方、スキャン処理の正常終了であった場合には画像形成装置２０１でのスキャン処理が完了したと判断し、ステップＳ６１２へ進む。
【００７０】
ステップＳ６１２では、ＣＰＵ１０４は、スキャン画像取得処理を実行する。ステップＳ６１２でＣＰＵ１０４が状態監視プログラムを実行することにより実現されるスキャン画像取得処理の詳細を図７に示す。
【００７１】
図７は、図６のステップＳ６１２におけるスキャン画像取得処理の詳細を示すフローチャートである。
【００７２】
図７において、ステップＳ７０１では、ＣＰＵ１０４は、画像形成装置２０１に対してスキャン画像取得要求を送信する。スキャン画像取得送信要求を受信した画像形成装置２０１では、図４におけるステップＳ４０５からステップＳ４０８までの処理が実行される。
【００７３】
次に、ステップＳ７０２では、ＣＰＵ１０４は、画像形成装置２０１から送信されたスキャン画像データの受信が完了するまで待機し、完了するとスキャン画像取得処理を終了してリターンする。なお、スキャン画像データの受信が始まると、状態監視プログラムを実行するＣＰＵ１０４は、ユニークなファイル名を作成してスキャン画像データに付与し、当該スキャン画像データをＮＶＲＡＭ１０６等に書き込む。このとき、ＣＰＵ１０４は、作成したファイル名を図５に示すトークンテーブルのスキャン画像データ５０３に登録する。
【００７４】
図５に示すトークンテーブルは、図６のステップＳ６０５で取得されたトークン５０１と、通知毎に割り当てられ、通知を一意に識別するための通知ＩＤ５０２と、スキャン画像データ５０３で構成され、ＮＶＲＡＭ１０６に保存される。
【００７５】
図６に戻り、ステップＳ６１３では、ＣＰＵ１０４は、スキャンアプリが起動中か否かを判定し、起動していないと判定した場合はステップＳ６１５へ進む。一方、スキャンアプリが起動中であると判定した場合はステップＳ６１４に進む。
【００７６】
ステップＳ６１４では、ＣＰＵ１０４は、スキャン画像データを示す情報（例えばスキャン画像データ、ファイル名等）と共にスキャン画像取得完了通知をスキャンアプリに対して送信し、本処理を終了する。ＣＰＵ１０４がスキャンアプリを実行することで、先に受信した非識別デバイスタッチ通知により、図１４（ｃ）に示す画面表示が行われる。スキャン画像取得完了通知を受信すると、スキャン画像データを示す情報からスキャン画像データを取得し、図１４（ｂ）に示すような画面構成でスキャン画像が表示される。
【００７７】
ステップＳ６１５では、ＣＰＵ１０４は、通知処理を実行して、本処理を終了する。ステップ６１５で実行される通知処理の詳細を図８に示す。
【００７８】
図８は、図６のステップＳ６１５における通知処理の詳細を示すフローチャートである。
【００７９】
図８において、ステップＳ８０１では、ＣＰＵ１０４は、図６のステップＳ６０５で取得したトークンを、図５に示すトークンテーブルに登録してＮＶＲＡＭ１０６に保存する。
【００８０】
次に、ステップＳ８０２では、ＣＰＵ１０４は、図１２（ｂ）の１２０４に示す通知をＬＣＤパネル１１４に表示する。なお、図１２（ｂ）に示す通知１２０４は、規定時間が経過すると自動的に非表示となる。そして、ステータスライン１２０２を指でタッチしながら画面の下方向にスライドさせることで、図１３（ａ）に示す通知１２０５の様に、過去に表示した通知を含む表示変更を行うことが可能である。また、ＳＣＡＮアイコンを押下してスキャンアプリを起動した際に、未処理の通知を表示させるように構成してもよい。
【００８１】
ステップＳ８０３では、ＣＰＵ１０４は、図１２（ｂ）の通知１２０４を選択（タッチ）したか否かを判定する。該当する通知１２０４がタッチされると、ステップＳ８０４に進み、ＣＰＵ１０４は、図５に示すトークンテーブルの通知ＩＤ５０２をスキャンアプリに渡して起動する。スキャンアプリが動作中であれば、ＣＰＵ１０４は、図５に示すトークンテーブルを参照し、渡された通知ＩＤ５０２に関連付けられたスキャン画像データ５０３に示す画像データを取得し、図１４（ｂ）に示すスキャン画面をＬＣＤパネル１１４に表示する。なお、ステップＳ８０４で通知部分がタッチされた場合、スキャンアプリ以外に画像編集アプリが利用可能であるときには、スキャンアプリと画像編集アプリのどちらを起動するか選択可能に構成することも可能である。
【００８２】
携帯情報端末上で動作するスキャンアプリでは、予め画像形成装置のネットワークアドレスを登録することで、実際のスキャン処理が可能となる。そして、画像形成装置に原稿をセットした後、図１３（ｂ）に示すようなスキャン設定画面で解像度やカラーモード等の設定を行って、スキャン実行ボタン１２０７が押下する。その結果、画像形成装置にて原稿をスキャンして得られた画像データを、携帯情報端末で実行中のスキャンアプリが取得して、図１４（ｂ）に示すようなスキャン画像として表示する。
【００８３】
以上のように、本実施形態では、近距離無線通信機能を備えた携帯情報端末を画像形成装置に接近させることにより無線通信が確立すると、画像形成装置において原稿をスキャンして得られた画像データを保存する。そして、当該スキャン処理と関連付けたトークンと呼ばれる情報を、近距離無線通信を用いて携帯情報端末に書き込む。一方、携帯情報端末では、書き込まれたトークンを用いて、トークンに関連付けられたスキャン処理の状態及びスキャン画像データを画像形成装置から取得し、スキャン処理の状態を携帯情報端末の画面に表示する。そして、携帯情報端末の画面に表示されたスキャンの完了通知を選択することによりスキャンアプリが起動して、当該スキャン処理に関連付けられた画像を表示する。つまり、携帯情報端末のユーザは、原稿をセットした画像形成装置に携帯情報端末を接近させるだけで、原稿をスキャンして得られた電子データを当該携帯情報端末において、電子データを処理するのに最適なアプリを利用することが可能となる。
【００８４】
［第２の実施形態］
本発明の第２の実施の形態では、図１、図２に示す構成が上記第１の実施の形態と同じであり、第１の実施の形態と同様の部分については、同一の符号を用いてその説明を省略する。以下に、上記第１の実施の形態と異なる点のみを説明する。
【００８５】
上記第１の実施形態では、携帯情報端末１０１が画像形成装置２０１からトークンによりスキャン処理に係る情報（スキャン処理の状態やスキャン画像データ等）を取得する構成について説明した。
【００８６】
スキャン画像を得るための対象となる画像形成装置２０１がこれまで利用したことがない場合、予め画像形成装置２０１を操作するために必要となる接続情報や機器情報等を取得する必要がある。そこで、本実施形態における携帯情報端末１０１は、画像形成装置２０１からトークンにより接続情報や機器情報を取得して、それらをスキャンアプリに渡して設定させる。例えば、図１４（ｂ）に示すスキャン画像を表示中に設定ボタン１２１０が押下されると、スキャンアプリによる図１３（ｂ）のスキャン設定画面に遷移する。スキャン設定画面では、画像形成装置２０１に関する情報が予め設定されている。そこで、解像度領域１２０６等の設定変更を受け付けて、スキャン実行ボタン１２０７の押下により再スキャンを実行可能に構成する。
【００８７】
本実施形態によれば、初めて利用する画像形成装置であっても、トークンを利用して当該画像形成装置から接続情報や機器情報を取得することで、スキャンアプリによる詳細設定と再スキャンが実行可能となる。
【００８８】
［第３の実施形態］
本発明の第３の実施の形態では、図１、図２に示す構成が上記第１の実施の形態と同じであり、第１の実施の形態と同様の部分については、同一の符号を用いてその説明を省略する。以下に、上記第１の実施の形態と異なる点のみを説明する。
【００８９】
上記第１および第２の実施形態では、図７に示すように、携帯情報端末１０１から画像形成装置２０１にスキャン画像取得要求を送信してスキャン画像データを取得している。
【００９０】
第３の実施形態では、スキャン画像取得要求と共にスキャン画像データの送信先を送信することも可能としている。これにより、画像形成装置２０１から携帯情報端末１０１へのスキャン画像データの送信を別途実行させることが可能となる。
【００９１】
図１１は、第３の実施形態における携帯情報端末において実行されるスキャン画像取得処理の詳細を示すフローチャートである。
【００９２】
図１１において、ステップＳ７０１では、ＣＰＵ１０４は、スキャン画像取得要求を画像形成装置に送信する。
【００９３】
次に、ステップＳ１１０１では、ＣＰＵ１０４は、スキャン画像データの送信先が指定されているか否かを判定する。ステップＳ１１０１でスキャン画像データの送信先が指定されていないと判定した場合、ステップＳ７０２に進む。
【００９４】
ステップＳ７０１で送信されたスキャン画像取得要求に対する応答として、画像形成装置２０１からスキャン画像データが送信される。その結果、ＣＰＵ１０４はスキャン画像データの受信を行い（ステップＳ７０２）、受信が完了するとスキャン画像取得処理を終了してリターンする。
【００９５】
一方、ステップＳ１１０１でスキャン画像データの送信先が指定されていた場合、ＣＰＵ１０４は、スキャン画像データの送信状態取得要求を画像形成装置に送信する（ステップＳ１１０２）。このときＣＰＵ１０４は、例えば送信先送信手段として機能する。
【００９６】
スキャン画像データの送信先が指定されたスキャン画像取得要求を受信した画像形成装置２０１は、当該指定された送信先にスキャン画像データを送信する。そして、図６のステップＳ６０７におけるトークンに基づく画像形成装置２０１との接続ではスキャン画像データが送られてこない。そこで、ＣＰＵ１０４は、スキャン画像データの送信状態を画像形成装置２０１から取得し、スキャン画像データの送信状態が正常あるいは異常で完了したかどうかを判定する（ステップＳ１１０３）。そして、完了するまでステップＳ１１０２のスキャン画像データの送信状態取得要求を繰り返す。
【００９７】
なお、スキャン画像データの送信先として、ＣＩＦＳ（Ｃｏｍｍｏｎ  Ｉｎｔｅｒｎｅｔ  Ｆｉｌｅ  Ｓｙｓｔｅｍ）やＷｅｂＤＡＶ（Ｗｅｂ−ｂａｓｅｄ  Ｄｉｓｔｒｉｂｕｔｅｄ  Ａｕｔｈｏｒｉｎｇ  ａｎｄ  Ｖｅｒｓｉｏｎｉｎｇ）等のネットワークプロトコルを介したファイルパスやＥメールアドレスなどが指定可能である。例えば、送信先としてＣＩＦＳを介したファイルパスがＵＲＬで指定された場合、画像形成装置２０１は、ＣＩＦＳプロトコルを用いて指定装置に接続し、指定ファイルパスにスキャン画像データを送信する。このときに、ファイル名のベース名にはスキャン処理毎に異なるトークン（図１０の９０１）が設定され、拡張子には、“ｒａｗ”などのスキャンアプリと関連付けられた文字列が設定される。その後、図８に示す通知処理により、スキャン処理が完了したことが画面表示される。
【００９８】
スキャン画像データの送信先が設定されていた場合、図１２（ｂ）に示す通知１２０４をタッチすることにより、当該送信先に関連するアプリが起動する。例えば、送信先としてＣＩＦＳを介したファイルパスが設定されていた場合には、Ｗｅｂブラウザが起動してファイルパスにアクセスすることで、スキャン画像のダウンロードを行う画面が表示される。
【００９９】
ファイル操作プログラムで、ダウンロードしたスキャン画像データを選択すると、関連付けられたスキャンアプリが起動してスキャン画像の操作を行うことができる。また、このときのファイルパスが、状態監視プログラムが動作している携帯情報端末内の不揮発性メモリを指定している場合には、スキャンアプリから当該スキャン画像にアクセス可能である。そのため、Ｗｅｂブラウザを起動する代わりに直接スキャンアプリを起動するように構成することも可能である。なお、ファイルパスが自装置を指しているかどうかの判定は、ファイルパスに含まれるホスト名やアドレスが自装置のものか否かで行うことができる。
【０１００】
また、送信先として“ｍａｉｌｔｏ：ｆｏｏ＠ｅｘａｍｐｌｅ．ｃｏｍ“のようなＥメールアドレスが指定された場合、画像形成装置において、スキャン画像データが上記ファイル名でＥメールに添付され、指定されたＥメールアドレスに送信される。Ｅメールの送信が完了すると携帯情報端末１０１に通知が表示され、該通知をタッチすると、トークンテーブルが参照され、当該通知の通知ＩＤに対応するスキャン画像データ５０３に示す情報が取得される。この情報がメール送信を示すＵＲＬであるため、Ｅメールアプリが起動する。そして、起動したＥメールアプリにおいて、該当するメールが選択され、添付ファイルが指定されると、当該メールに添付されたファイルをダウンロードするための画面が表示される。なお、メールに添付されたファイルをダウンロードした後は、先に説明したように、ファイル操作プログラムから当該ファイルを選択することで、スキャンアプリを起動することが可能である。
【０１０１】
以上のように、本実施形態によれば、画像形成装置への接近により実行されるスキャン監視処理でスキャン画像の受信処理を直接行う必要がなく、画像形成装置のスキャン画像送信完了を定期的に確認するだけでよい。一方、画像形成装置では、トークンを利用した接続とは別に、スキャン画像データ用の接続を開いて、スキャン画像データを送信することが可能となる。その結果、携帯情報端末からの状態確認に対する処理と、スキャン画像データ送信処理を分離することができ、処理が簡単になる。
【０１０２】
また、画像形成装置では、スキャン処理を一意に識別するためのトークンの９０３部分とスキャンアプリに関連付けられた拡張子をファイル名として設定し、当該ファイルに画像データを格納して、指定された送信先に送信する。これにより、それを受信した携帯情報端末で、当該ファイルを選択した場合に、スキャンアプリを起動して処理を行うことが可能となる。
【０１０３】
［第４の実施形態］
本発明の第４の実施の形態では、図１、図２に示す構成が上記第１の実施の形態と同じであり、第１の実施の形態と同様の部分については、同一の符号を用いてその説明を省略する。以下に、上記第１の実施の形態と異なる点のみを説明する。
【０１０４】
上記第１から第３の実施形態では、画像形成装置２０１は、携帯情報端末１０１の接近により原稿のスキャンを実行し、それにより得られたスキャン画像データを、画像形成装置２０１内のＨＤＤ２０６に格納している。
【０１０５】
一方、本実施形態では、不図示の他の画像形成装置あるいは他の携帯情報端末の不揮発性メモリにスキャン画像データ格納するように構成している点が異なる。この場合、画像形成装置２０１のＨＤＤ２０６に格納されるスキャン画像データテーブルのスキャン画像データの格納先１００３に画像データの格納先を示すＵＲＬ等を設定する。携帯情報端末１０１からはトークンを用いて画像形成装置２０１にアクセスするため、画像データが画像形成装置２０１に格納されていようと、他の画像形成装置や他の携帯情報端末に格納されていようと意識する必要が無い。
【０１０６】
上記実施形態によれば、スキャン画像データの格納先を他の画像形成装置あるいは他の携帯情報端末に指定することが可能な構成である。これにより、スキャン処理を実行する画像形成装置のメモリにスキャン画像データを格納するに充分な空き容量が無い場合であっても、上述した本発明の効果を達成することが可能となる。
【０１０７】
上記第１〜第４の実施形態では、スキャン処理とスキャン画像データを対象としているが、これらに限定されるものではなく、他の処理や他のデータであっても構わない。
【０１０８】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【０１０９】
１０１  携帯情報端末
１０４  ＣＰＵ
１０８  近接無線コントローラ
１０９  無線ＬＡＮコントローラ
２０１  画像形成装置
【図１】
2015133572.tif 000003
【図２】
2015133572.tif 000004
【図３】
2015133572.tif 000005
【図４】
2015133572.tif 000006
【図５】
2015133572.tif 000007
【図６】
2015133572.tif 000008
【図７】
2015133572.tif 000009
【図８】
2015133572.tif 000010
【図９】
2015133572.tif 000011
【図１０】
2015133572.tif 000012
【図１１】
2015133572.tif 000013
【図１２】
2015133572.tif 000014
【図１３】
2015133572.tif 000015
【図１４】
2015133572.tif 000016